(57)【要約】【課題】トレーニング機器例えばエアロバイクにおける現在のトレーニング状態に応じて再生音の再生速度を変更するポータブルプレーヤを提供する。【解決手段】エアロバイク２０において目標とする目標速度を目標速度設定部１１にてあらかじめ設定した後、トレーニング機器例えばエアロバイク２０と接続ケーブル３０により接続し、トレーニング速度モニタ部１２にてエアロバイク２０から取得した現在のトレーニング速度に応じて、再生速度調整部１３にて、再生音の再生速度を調整して、再生音出力部１４から出力する。エアロバイク２０から取得した現在のトレーニング速度が、当該ポータブルプレーヤ１０にあらかじめ設定されている前記目標速度に比して、低い値であった場合には、再生速度調整部１３により再生音の再生速度を速い値に調整し、逆に、高い値であった場合には、再生速度調整部１３により再生音の再生速度を遅い値に調整する。【選択図】図１
2009043323.tif 000002
【特許請求の範囲】
【請求項１】
少なくとも再生音を再生する機能を備えたポータブルプレーヤにおいて、
ユーザの体力を鍛えるためのトレーニング機器と接続する接続手段と、該接続手段により取得された前記トレーニング機器側の現在のトレーニング状態に応じて、前記再生音の再生速度を調整する再生速度調整手段とを少なくとも備えていることを特徴とするポータブルプレーヤ。
【請求項２】
前記トレーニング機器から取得される現在の前記トレーニング状態が、単位時間当たりの移動距離を示すトレーニング速度情報および／または単位時間当たりのペダル回転数を示すケイデンス情報であることを特徴とする請求項１に記載のポータブルプレーヤ。
【請求項３】
取得された前記トレーニング速度情報および／または前記ケイデンス情報が、目標として当該ポータブルプレーヤにあらかじめ設定されている目標速度および／または目標ケイデンスに比して、低い値であった場合には、前記再生速度調整手段により前記再生音の再生速度を速い値に調整し、逆に、高い値であった場合には、前記再生速度調整手段により前記再生音の再生速度を遅い値に調整することを特徴とする請求項２に記載のポータブルプレーヤ。
【請求項４】
前記再生速度調整手段により前記再生音の再生速度を調整する値が、前記目標速度および／または前記目標ケイデンスと前記トレーニング速度情報および／または前記ケイデンス情報との差分に相当する値であることを特徴とする請求項３に記載のポータブルプレーヤ。
【請求項５】
少なくとも再生音を再生する機能を備えたポータブルプレーヤにおいて、
ユーザの体力を鍛えるための各種のトレーニング機器と接続する接続手段と、該接続手段により取得された前記トレーニング機器側の現在のトレーニング状態に応じて、対応する再生速度の前記再生音を選択する再生音選択手段とを少なくとも備えていることを特徴とするポータブルプレーヤ。
【請求項６】
前記トレーニング機器から取得される現在の前記トレーニング状態が、単位時間当たりの移動距離を示すトレーニング速度情報および／または単位時間当たりのペダル回転数を示すケイデンス情報であることを特徴とする請求項５に記載のポータブルプレーヤ。
【請求項７】
前記トレーニング機器が、ペダルを漕ぐ運動を行うエアロバイクであることを特徴とする請求項１に記載のポータブルプレーヤ。
【発明の詳細な説明】
【技術分野】
【０００１】
本発明は、ポータブルプレーヤに関し、特に、エアロバイクに代表されるトレーニング機器を用いたトレーニングの状況に合わせて再生する再生音の再生速度（テンポ）を調整可能とするポータブルプレーヤに関する。
【背景技術】
【０００２】
従来、ランニングなどの運動やトレーニング機器を使ったトレーニングにおいては、黙々と運動に取り組む人が多かった。
【０００３】
しかし、近年のトレーニングにおいては、ポータブルプレーヤで音楽を聴きながら行う人が多くなってきている。ここで使用されるポータブルプレーヤは、例えば、特許文献１の特開２００１−５６７０号公報「ポータブルプレーヤおよびコンピュータシステム」などのように、オーディオデータを再生する単なるミュージックプレーヤであって、あらかじめ設定されている再生速度で再生した音楽をそのまま聴くものであり、トレーニング内容と連動するようなものではなかった。
【特許文献１】特開２００１−５６７０号公報（第４−６頁）
【発明の開示】
【発明が解決しようとする課題】
【０００４】
前述のように、従来技術におけるポータブルプレーヤは、例えばバイクトレーニングなどにおけるトレーニングの状態とは連動しないものであり、単に、音楽などを聴きながらトレーニングを行うのみであった。
【０００５】
本発明は、現在行っているトレーニング状態が、目標とするテンポに合致しているかまたは外れているか、また、目標テンポから外れている場合には、現在のトレーニングのテンポが目標テンポに比して速すぎるのかまたは遅すぎるのかを、トレーニング中に使用している当該ポータブルプレーヤを介して、聴覚的に判断することが可能なポータブルプレーヤを提供することを、その目的としている。
【課題を解決するための手段】
【０００６】
前述の課題を解決するため、本発明によるポータブルプレーヤは、次のような特徴的な構成を採用している。
【０００７】
（１）少なくとも再生音を再生する機能を備えたポータブルプレーヤにおいて、
ユーザの体力を鍛えるためのトレーニング機器と接続する接続手段と、該接続手段により取得された前記トレーニング機器側の現在のトレーニング状態に応じて、前記再生音の再生速度を調整する再生速度調整手段とを少なくとも備えているポータブルプレーヤ。
（２）前記トレーニング機器から取得される現在の前記トレーニング状態が、単位時間当たりの移動距離を示すトレーニング速度情報および／または単位時間当たりのペダル回転数を示すケイデンス情報である上記（１）のポータブルプレーヤ。
（３）取得された前記トレーニング速度情報および／または前記ケイデンス情報が、目標として当該ポータブルプレーヤにあらかじめ設定されている目標速度および／または目標ケイデンスに比して、低い値であった場合には、前記再生速度調整手段により前記再生音の再生速度を速い値に調整し、逆に、高い値であった場合には、前記再生速度調整手段により前記再生音の再生速度を遅い値に調整する上記（２）のポータブルプレーヤ。
（４）前記再生速度調整手段により前記再生音の再生速度を調整する値が、前記目標速度および／または前記目標ケイデンスと前記トレーニング速度情報および／または前記ケイデンス情報との差分に相当する値である上記（３）のポータブルプレーヤ。
（５）少なくとも再生音を再生する機能を備えたポータブルプレーヤにおいて、
ユーザの体力を鍛えるための各種のトレーニング機器と接続する接続手段と、該接続手段により取得された前記トレーニング機器側の現在のトレーニング状態に応じて、対応する再生速度の前記再生音を選択する再生音選択手段とを少なくとも備えているポータブルプレーヤ。
（６）前記トレーニング機器から取得される現在の前記トレーニング状態が、単位時間当たりの移動距離を示すトレーニング速度情報および／または単位時間当たりのペダル回転数を示すケイデンス情報である上記（５）のポータブルプレーヤ。
（７）前記トレーニング機器が、ペダルを漕ぐ運動を行うエアロバイクである上記（１）のポータブルプレーヤ。
【発明の効果】
【０００８】
本発明のポータブルプレーヤによれば、現在行っているトレーニングの状態つまり現在のトレーニングのテンポと目標テンポとの比較結果を、トレーニング中に使用しているポータブルプレーヤを経由してユーザが把握することが可能になるという効果が得られる。
【発明を実施するための最良の形態】
【０００９】
以下、本発明によるポータブルプレーヤの好適な実施例について添付図を参照して説明する。
【００１０】
（本発明の特徴）
本発明の実施例の説明に先立って、本発明の特徴について、その概要をまず説明する。本発明は、現在行っているトレーニングの状態が、目標としている状態に合致しているのか外れているのか、また、目標としている状態から外れている場合には、現在のトレーニング状態が、目標に比して速すぎるのか遅すぎるのかを、トレーニング中に使用しているポータブルプレーヤ経由でユーザが聴覚的に判断することを可能としている。
【００１１】
例えば、トレーニング機器としてエアロバイクを使用したトレーニングを行う場合、エアロバイクとポータブルプレーヤとを例えばＵＳＢケーブルなどによって電気的に接続して、エアロバイクから出力されるトレーニング中のスピード情報（例えば単位時間当たりの移動距離やペダル回転数など）をポータブルプレーヤ側にて取得する。そして、ポータブルプレーヤ側に目標とするスピード（テンポ）としてあらかじめ設定した目標スピードよりもエアロバイクのトレーニング中のスピード情報が遅いことが検知された場合には、当該ポータブルプレーヤにて現在再生している再生音（例えば楽曲）のテンポを例えば速くするように調整する。
【００１２】
この結果、当該ポータブルプレーヤにて再生中の再生音（楽曲）を聞きながらトレーニングしているユーザは、再生されてくる再生音（楽曲）のテンポが速くなることにより、トレーニングの速度を、再生される再生音（楽曲）のテンポに合わせて、自動的に速くするようになり、再生音（楽曲）のテンポに合わせてトレーニング速度を調整することができる。
【００１３】
（実施例の構成）
図１は、本発明のポータブルプレーヤの使用形態の一例を示す接続構成図であり、本発明のポータブルプレーヤ１０を、トレーニング機器の一種であるエアロバイク２０に、接続ケーブル３０を介して接続している接続構成例を示している。図１に示す例においては、エアロバイク２０に備えられている速度メータ２１が示す速度情報が、接続ケーブル３０を介して、リアルタイムで、常時、ポータブルプレーヤ１０に転送されている。なお、接続ケーブル３０は、ＵＳＢケーブルや有線ＬＡＮケーブルを用いる構成であっても良いし、無線ＬＡＮなどを用いる構成であっても良い。
【００１４】
また、図１に示すように、ポータブルプレーヤ１０は、目標速度設定部１１、トレーニング速度モニタ部１２、再生速度調整部１３、および、再生音出力部１４を少なくとも備えている。
【００１５】
目標速度設定部１１は、目標とするエアロバイク２０のトレーニング速度（単位時間当たりの移動距離）を目標速度としてユーザが設定する部位であり、トレーニング速度モニタ部１２は、エアロバイク２０から接続ケーブル３０を介して転送されてくるエアロバイク２０の現在のトレーニング速度（単位時間当たりの移動距離）をリアルタイムにモニタリングする部位である。
【００１６】
また、再生速度調整部１３は、目標速度設定部１１により設定された目標速度と、トレーニング速度モニタ部１２によりモニタリングされているエアロバイク２０の現在のトレーニング速度との照合結果に基づいて、再生すべき音声のテンポ（つまり再生速度）を調整する部位であり、例えば、前記トレーニング速度が前記目標速度よりも速かった場合には、再生速度を遅くするように調整し、逆に、前記トレーニング速度が前記目標速度よりも遅かった場合には、再生速度を速くするように調整する。ここで、再生速度を調整する際に、前記トレーニング速度と前記目標速度との差に相当する値だけ一気に再生速度を変更するように調整しても良いし、あらかじめ定めた一定の経過時間ごとに、あらかじめ定めた単位調整量ずつ、段階的に変更するように調整しても良い。
【００１７】
再生音出力部１４は、再生速度調整部１３によって調整された再生速度に基づいて、音源からの再生音を順次取り出して、該再生速度に応じたテンポで再生音をスピーカやイヤホンを介して出力する部位である。
【００１８】
（実施例の動作）
次に、図１に示すポータブルプレーヤ１０の動作について、図２のフローチャートを用いて説明する。図２は、図１のポータブルプレーヤ１０の動作の一例を示すフローチャートであり、接続ケーブル３０を介してエアロバイク２０から転送されてくるトレーニング速度に基づいて、再生する再生音の再生速度（テンポ）を調整する動作の一例を示している。
【００１９】
図２において、まず、エアロバイク３０のトレーニング用の目標速度を目標速度設定部１１により設定する（ステップＳ１）。しかる後、エアロバイク２０と接続ケーブル３０により相互に接続して、トレーニング速度モニタ部１２によりトレーニング速度の計測を開始する（ステップＳ２）。なお、目標速度設定部１１において設定する目標速度としては、上限値と下限値との許容範囲を含む形で設定することも可能であり、本実施例においては、上限目標速度と下限目標速度との双方を設定している場合を示している。
【００２０】
ここで、エアロバイク２０から接続ケーブル３０を介して転送されてくる現在のトレーニング速度が、目標速度設定部１１において設定された目標速度の範囲内（つまり上限目標速度と下限目標速度との範囲内）に収まっているか外れているかを、再生速度調整部１３において判断する（ステップＳ３）。目標速度の範囲内から外れていた場合には（ステップＳ３のＹＥＳ）、次に、現在のトレーニング速度が、目標速度の範囲よりも下側にずれているか否か（つまり、現在のトレーニング速度が下限目標速度よりも遅いか否か）を再生速度調整部１３において判断する（ステップＳ４）。
【００２１】
現在のトレーニング速度が、目標速度の範囲よりも下側にずれていた場合には（ステップＳ４のＹＥＳ）、再生速度調整部１３においては、再生すべき再生音（例えば楽曲）の再生速度（テンポ）を速くするように調整して、再生音出力部１４より出力する（ステップＳ６）。逆に、現在のトレーニング速度が、目標速度の範囲よりも下側にずれていなかった場合は（ステップＳ４のＮＯ）、現在のトレーニング速度が、上限目標速度よりも速くなっている場合に該当しており、再生速度調整部１３においては、再生すべき再生音（例えば楽曲）の再生速度（テンポ）を遅くするように調整して、再生音出力部１４より出力する（ステップＳ５）。
【００２２】
なお、再生速度調整部１３において、再生すべき再生音の再生速度を調整する調整幅は、目標速度の中心値との速度差分であり、該調整幅を、前述のように、現在のトレーニング速度と目標速度の中心値との差分に相当する速度差分だけ一気に調整するようにしても良いし、あらかじめ定めた単位調整分ずつ、徐々に調整していくようにしても良い。
【００２３】
また、図２に前述した実施例の動作においては、目標速度設定部１１にて設定した目標速度の範囲よりも遅い場合には、目標速度までトレーニング速度を上昇させるために、再生している再生音（例えば楽曲）の再生速度を上昇させるようにし、逆に、目標速度の範囲よりも速い場合には、目標速度までトレーニング速度を低下させるために、再生している再生音（例えば楽曲）の再生速度を低下させるように、再生速度調整部１３にて調整する場合について説明したが、本発明は、かかる場合のみに限るものではない。
【００２４】
例えば、現在のトレーニング速度の如何には関係なく、ステップＳ１において目標速度設定部１１にて設定した目標速度の範囲に入るように、再生すべき再生音の再生速度（テンポ）を再生速度調整部１３にてあらかじめ調整して、再生音出力部１４から、調整済みの再生速度（テンポ）で常時出力するようにしても良い。かかる場合においては、エアロバイク２０によるトレーニングの開始当初から、目標とするトレーニング速度に対応する速度で、再生音（楽曲）が再生されており、ユーザは、該再生速度に合致するような速度で最初からトレーニングを開始しようとすることができる。
【００２５】
あるいは、場合によっては、目標速度として一旦設定していた目標トレーニング速度を、逆に、現在のトレーニング速度に合わせるように変更設定するようにしても良い。かかる場合には、目標速度に合致する再生速度によって再生音が再生されていたとしても、現在のトレーニング速度に合う速度に再生速度を変更して、再生音を再生させるものであり、現在のトレーニング速度が遅い場合には、遅い再生速度で再生音を再生し、逆に、現在のトレーニング速度が速い場合には、速い再生速度で再生音を再生する。つまり、現在のトレーニング速度に同期させた再生速度で再生音を再生することにより、ユーザのトレーニング状態を反映した一体感がある癒し系の環境を作り出すことができる。
【００２６】
（本実施例の効果）
本実施例においては、現在行っているトレーニングの状態が、トレーニング中に使用しているポータブルプレーヤを経由して、ユーザが聴覚的に把握することができ、かつ、自動的に、トレーニング速度を調整することも可能になる。
【００２７】
（他の実施例の構成）
次に、エアロバイクによるトレーニングに利用されるポータブルプレーヤにおいて、前述の実施例の場合とは異なり、エアロバイクのトレーニング速度情報よりも、エアロバイクのケイデンス情報（つまり単位時間当たり例えば１分ごとのペダル回転数）が重要視される場合について、図３を用いて説明する。
【００２８】
図３は、本発明のポータブルプレーヤの使用形態の他の例を示す接続構成図であり、本発明のポータブルプレーヤ１０Ａを、図１の場合と同様、トレーニング機器の一種であるエアロバイク２０Ａに、接続ケーブル３０を介して接続している接続構成例を示している。ただし、図３に示す例においては、図１の場合とは異なり、エアロバイク２０Ａに備えられているケイデンスセンサ２２が示すケイデンス情報（例えばペダル回転数／分の情報）が、接続ケーブル３０を介して、リアルタイムで、常時、ポータブルプレーヤ１０Ａに転送されている。なお、接続ケーブル３０は、ＵＳＢケーブルや有線ＬＡＮケーブルを用いる構成であっても良いし、無線ＬＡＮなどを用いる構成であっても良い。
【００２９】
また、図３に示すように、ポータブルプレーヤ１０Ａは、目標ケイデンス設定部１５、トレーニングケイデンスモニタ部１６、再生音選択部１７、および、再生音出力部１４を少なくとも備えている。
【００３０】
目標ケイデンス設定部１５は、図１の目標速度設定部１１の場合とは異なり、目標とするエアロバイク２０のトレーニング用ケイデンス情報（ペダル回転数／分）を目標ケイデンスとしてユーザが設定する部位であり、トレーニングケイデンスモニタ部１６は、エアロバイク２０から接続ケーブル３０を介して転送されてくるエアロバイク２０の現在のトレーニングケイデンス情報をリアルタイムにモニタリングする部位である。
【００３１】
また、再生音選択部１７は、目標ケイデンス設定部１５により設定された目標ケイデンスと、トレーニングケイデンスモニタ部１６によりモニタリングされているエアロバイク２０の現在のトレーニングケイデンス情報との照合結果に基づいて、再生すべき音声のテンポ（つまり再生速度）を満たす再生音（例えば楽曲）を、各種音源の中から選択する部位であり、例えば、前記トレーニングケイデンス情報が前記目標ケイデンスよりも高い値であった場合には、再生速度（テンポ）が遅い再生音（楽曲）を選択し、逆に、前記トレーニングケイデンス情報が前記目標ケイデンスよりも低い値であった場合には、再生速度（テンポ）が速い再生音（楽曲）を選択する。
【００３２】
なお、本実施例においては、各種の音源の中から再生すべき再生音（楽曲）を選択する再生音選択部１７を用いる場合について示しているが、再生音選択部１７の代わりに、図１に示した再生速度調整部１３を用いて構成するようにしても構わない。かかる場合には、前記トレーニングケイデンス情報が前記目標ケイデンスよりも高い値であった場合には、再生速度調整部１３により再生音の再生速度を遅くするように調整し、逆に、前記トレーニングケイデンス情報が前記目標ケイデンスよりも低い値であった場合には、再生速度調整部１３により再生音の再生速度を速くするように調整する。
【００３３】
再生音出力部１４は、再生音選択部１７によって選択されたテンポの再生音（楽曲）に基づいて、図１の場合と同様、音源からの再生音を順次取り出して、該テンポの再生音をスピーカやイヤホンを介して出力する部位である。
【００３４】
（他の実施例の動作）
次に、図３に示すポータブルプレーヤ１０Ａの動作について、図４のフローチャートを用いて説明する。図４は、図３のポータブルプレーヤ１０Ａの動作の一例を示すフローチャートであり、接続ケーブル３０を介してエアロバイク２０Ａから転送されてくるトレーニングケイデンス情報に基づいて、再生する再生音を選択する動作の一例を示している。
【００３５】
図４において、まず、エアロバイク３０のトレーニング用の目標ケイデンスを目標ケイデンス設定部１５により設定する（ステップＳ１１）。しかる後、エアロバイク２０Ａと接続ケーブル３０により相互に接続して、トレーニングケイデンスモニタ部１６によりトレーニングケイデンス情報の計測を開始する（ステップＳ１２）。なお、目標ケイデンス設定部１５において設定する目標ケイデンスとしては、上限値と下限値との許容範囲を含む形で設定することも可能であり、本実施例においては、上限目標ケイデンスと下限目標ケイデンスとの双方を設定している場合を示している。
【００３６】
ここで、エアロバイク２０Ａから接続ケーブル３０を介して転送されてくる現在のトレーニングケイデンス情報が、目標ケイデンス設定部１５において設定された目標ケイデンスの範囲内（つまり上限目標ケイデンスと下限目標ケイデンスとの範囲内）に収まっているか外れているかを、再生音選択部１７において判断する（ステップＳ１３）。目標ケイデンスの範囲内から外れていた場合には（ステップＳ１３のＹＥＳ）、次に、現在のトレーニングケイデンス情報が、目標ケイデンスの範囲よりも下側にずれているか否か（つまり、現在のトレーニングケイデンス情報が下限目標ケイデンスよりも低い値か否か）を再生音選択部１７において判断する（ステップＳ１４）。
【００３７】
現在のトレーニングケイデンス情報が、目標ケイデンスの範囲よりも下側にずれていた場合には（ステップＳ１４のＹＥＳ）、再生音選択部１７においては、再生すべき再生音（例えば楽曲）の再生速度（テンポ）が速くなるような再生音（楽曲）を選択して、再生音出力部１４より出力する（ステップＳ１６）。逆に、現在のトレーニングケイデンス情報が、目標ケイデンスの範囲よりも下側にずれていなかった場合は（ステップＳ１４のＮＯ）、現在のトレーニングケイデンス情報が、上限目標ケイデンスよりも高い値になっている場合に該当しており、再生音選択部１７においては、再生すべき再生音（例えば楽曲）の再生速度（テンポ）を遅くするような再生音（楽曲）を選択して、再生音出力部１４より出力する（ステップＳ１５）。
【００３８】
なお、前述したように、再生音選択部１７の代わりに、図１の再生速度調整部１３を用いて、再生すべき再生音の再生速度を調整する調整幅を、現在のトレーニングケイデンス情報と目標ケイデンスの中心値との差分の値に対応する速度差分だけ一気に調整するようにしても良いし、あらかじめ定めた単位調整分ずつ、徐々に調整していくようにしても良い。
【００３９】
また、図２に前述した実施例の動作においては、目標ケイデンス設定部１５にて設定した目標ケイデンスの範囲よりも低い値の場合には、目標ケイデンスまでトレーニングケイデンスを上昇させるために、再生している再生速度が速くなる再生音（例えば楽曲）を選択させるようにし、逆に、目標ケイデンスの範囲よりも高い値の場合には、目標ケイデンスまでトレーニングケイデンスを低下させるために、再生している再生速度が遅くなる再生音（例えば楽曲）を選択させるように、再生音選択部１７にて選択する場合について説明したが、本発明は、前述した実施例の場合と同様、かかる場合のみに限るものではない。
【００４０】
例えば、現在のトレーニングケイデンス情報の如何には関係なく、ステップＳ１１において目標ケイデンス設定部１５にて設定した目標ケイデンスの範囲に入るように、再生すべき再生速度（テンポ）の再生音を再生音選択部１７にてあらかじめ選択して、再生音出力部１４から、選択済みの再生音を出力するようにしても良い。かかる場合においては、エアロバイク２０Ａによるトレーニングの開始当初から、目標とするトレーニングケイデンス状態に対応する速度で、再生音（楽曲）が再生されており、ユーザは、該再生速度に合致するようなケイデンス(単位時間当たりのペダル回転数)で最初からトレーニングを開始しようとすることができる。
【００４１】
なお、以上の各実施例においては、トレーニング機器として、ペダルを漕ぐタイプのエアロバイク２０，２０Ａを用いる場合について説明したが、本発明においては、かかるエアロバイク２０，２０Ａだけでなく、例えば、歩行用のトレーニング機器として歩行スピードを検出することができるウォーキングマシンや、走行用（ランニング用）のトレーニング機器として走行スピードを検出することができるランニングマシン等にも応用することができる。また、トレーニング用のみにとどまらず、実際の自転車などにも適用することができる。
【００４２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【図面の簡単な説明】
【００４３】
【図１】本発明のポータブルプレーヤの使用形態の一例を示す接続構成図である。
【図２】図１のポータブルプレーヤの動作の一例を示すフローチャートである。
【図３】本発明のポータブルプレーヤの使用形態の他の例を示す接続構成図である。
【図４】図３のポータブルプレーヤの動作の一例を示すフローチャートである。
【符号の説明】
【００４４】
１０      ポータブルプレーヤ
１０Ａ    ポータブルプレーヤ
１１      目標速度設定部
１２      トレーニング速度モニタ部
１３      再生速度調整部
１４      再生音出力部
１５      目標ケイデンス設定部
１６      トレーニングケイデンスモニタ部
１７      再生音選択部
２０      エアロバイク
２０Ａ    エアロバイク
２１      速度メータ
２２      ケイデンスセンサ
３０      接続ケーブル
【図１】
2009043323.tif 000003
【図２】
2009043323.tif 000004
【図３】
2009043323.tif 000005
【図４】
2009043323.tif 000006